(57)【要約】【課題】正確なインク残量値を算出することができるインク供給装置、インクジェット記録装置、及びインク供給方法を提供する。【解決手段】インク供給装置１００は、第１タンク１１０と、第２タンク１２０と、第１算出部９１と、第２算出部９２とを備える。第１タンク１１０は、インクを貯留する。第２タンク１２０は、第１タンク１１０から供給されたインクを貯留する。第１算出部９１は、第２タンク１２０のインク量を算出する。第２算出部９２は、第２タンク１２０のインク量に基づいて、第１タンク９１のインク量を算出する。【選択図】図２
2019162864.tif 000002
【特許請求の範囲】
【請求項１】
インクを貯留する第１タンクと、
前記第１タンクから供給された前記インクを貯留する第２タンクと、
前記第２タンクのインク量を算出する第１算出部と、
前記第２タンクの前記インク量に基づいて、前記第１タンクのインク量を算出する第２算出部とを備える、インク供給装置。
【請求項２】
前記第１算出部は、前記第２タンクから送出された送出インク量を算出する、請求項１に記載のインク供給装置。
【請求項３】
前記第２算出部は、前記第１タンクのインク量から前記送出インク量を引く、請求項２に記載のインク供給装置。
【請求項４】
前記第２タンクは、前記第２タンク内のインクの存否を検出する検出部を備え、
前記第１算出部は、前記検出部の検出結果に基づいて、前記第２タンクのインク量の算出を開始する、請求項１から請求項３のいずれか１項に記載のインク供給装置。
【請求項５】
前記第２算出部は、前記第１タンクが交換された場合に、前記第１タンクのインク量から前記送出インク量を引く、請求項２に記載のインク供給装置。
【請求項６】
請求項１から請求項５のいずれか１項に記載のインク供給装置を備える、インクジェット記録装置。
【請求項７】
第１タンクと第２タンクとを備えるインク供給装置が実行するインク供給方法であって、
前記第２タンクのインク量を算出する第１算出ステップと、
前記第２タンクの前記インク量に基づいて、前記第１タンクのインク量を算出する第２算出ステップと
を備えるインク供給方法。
【発明の詳細な説明】
【技術分野】
【０００１】
本発明は、インク供給装置、インクジェット記録装置、及びインク供給方法に関する。
【背景技術】
【０００２】
従来、インクカートリッジのインク量を検出できる液滴噴射装置が知られている。このような液滴噴射装置として、特許文献１に記載の液滴噴射装置は、インクタンクと、サブタンクと、第１インク検出部と、第２インク検出部とを備える。液滴噴射装置は、第１インク検出部と第２インク検出部との検出結果に基づいて、インクタンク内のインクが空か否かを判定する。インクタンクのインクが空の場合、インクタンクは交換される。インクタンクが交換された場合、液滴噴射装置は、インクタンクのインク量を初期容量値に更新し、インクタンクからサブタンクにインクを供給する。
【先行技術文献】
【特許文献】
【０００３】
【特許文献１】特開２００８−３０２５９０号公報
【発明の概要】
【発明が解決しようとする課題】
【０００４】
しかしながら、特許文献１に記載の液滴噴射装置は、インクタンクのインクの一部がサブタンクに供給されるため、インクタンクのインク残量値は、正確でない。
【０００５】
本発明は上記課題に鑑みてなされたものであり、正確なインク残量値を算出することができるインク供給装置、インクジェット記録装置、及びインク供給方法を提供することを目的とする。
【課題を解決するための手段】
【０００６】
本発明に係るインク供給装置は、第１タンクと、第２タンクと、第１算出部と、第２算出部とを備える。前記第１タンクは、インクを貯留する。前記第２タンクは、前記第１タンクから供給された前記インクを貯留する。前記第１算出部は、前記第２タンクのインク量を算出する。前記第２算出部は、前記第２タンクの前記インク量に基づいて、前記第１タンクのインク量を算出する。
【０００７】
本発明に係るインクジェット記録装置は、インク供給装置を備える。
【０００８】
本発明に係る第１タンクと第２タンクとを備えるインク供給装置が実行するインク供給方法は、第１算出ステップと、第２算出ステップとを備える。前記第１算出ステップは、前記第２タンクのインク量を算出する。前記第２算出ステップは、前記第２タンクの前記インク量に基づいて、前記第１タンクのインク量を算出する。
【発明の効果】
【０００９】
本発明のインク供給装置によれば、正確なインク残量値を算出することができる。
【図面の簡単な説明】
【００１０】
【図１】本発明の実施形態に係るインク供給装置を備えるインクジェット記録装置を示す図である。
【図２】本発明の実施形態に係るインク供給装置を示す図である。
【図３】本発明の実施形態に係るインク供給装置の制御ブロック図である。
【図４】インク供給装置の制御部が実行する処理を示す図である。
【発明を実施するための形態】
【００１１】
以下、本発明の実施形態について、図面を参照しながら説明する。なお、図中、同一又は相当部分については同一の参照符号を付して説明を繰り返さない。
【００１２】
まず、図１を参照して、インクジェット記録装置１の構成について説明する。図１は、本発明の実施形態に係るインク供給装置１００を備えるインクジェット記録装置１の構成を示す図である。
【００１３】
図１に示すように、インクジェット記録装置１は、操作パネル２、用紙収容部５、搬送ユニット６、記録部７、インク供給装置１００、排出装置８、制御部９、及び記憶部１０を備える。
【００１４】
操作パネル２は、インクジェット記録装置１に対するユーザーからのジョブの指示を受け付ける。操作パネル２は、通知部２１及び複数の操作キー２２を含む。操作パネル２は、ユーザーからの指示を受け付けると、ユーザーからの指示を示す信号を制御部９へ送信する。通知部２１は、例えば、液晶ディスプレー又は有機ＥＬディスプレー（Ｏｒｇａｎｉｃ  Ｅｌｅｃｔｒｏ  Ｌｕｍｉｎｅｓｃｅｎｃｅ  Ｄｉｓｐｌａｙ）を含む。
【００１５】
通知部２１は、インクジェット記録装置１からの情報を通知する。例えば、通知部２１は、インクジェット記録装置１からの情報をユーザーに通知する。
【００１６】
操作キー２２は、ユーザーから指示の入力を受け付ける。ユーザーは、操作キー２２を操作して指示を入力することで、インクジェット記録装置１の各種の設定を行うことができる。
【００１７】
用紙収容部５は、複数のカセット５１を有する。具体的には、用紙収容部５は、複数の用紙Ｐを収容するカセット５１を有する。カセット５１から給紙された用紙Ｐは、搬送ユニット６へ搬送される。
【００１８】
搬送ユニット６は、記録部７の下方を通過するように用紙Ｐを搬送する。また、搬送ユニット６は、記録部７の下方を通過した用紙Ｐを排出装置８に搬送する。
【００１９】
記録部７は、インクを吐出して用紙Ｐに画像を形成する。記録部７は、ヘッドハウジング７１と４つのラインヘッド７２とを含む。ヘッドハウジング７１は、４つのラインヘッド７２を支持する。４つのラインヘッド７２の各々は、対応する色のインクを吐出する。
【００２０】
イエロー色のインクを吐出するラインヘッド７２をラインヘッド７２Ｙと示している。マゼンダ色のインクを吐出するラインヘッド７２をラインヘッド７２Ｍと示している。シアン色のインクを吐出するラインヘッド７２をラインヘッド７２Ｃと示している。ブラック色のインクを吐出するラインヘッド７２をラインヘッド７２Ｋと示している。
【００２１】
インク供給装置１００は、記録部７にインクを供給する。インク供給装置１００は、４つ設けられる。第１インク供給装置１００Ｙは、ラインヘッド７２Ｙにインクを供給する。第２インク供給装置１００Ｍは、ラインヘッド７２Ｍにインクを供給する。第３インク供給装置１００Ｃは、ラインヘッド７２Ｃにインクを供給する。第４インク供給装置１００Ｋは、ラインヘッド７２Ｋにインクを供給する。
【００２２】
排出装置８は、排出トレイ８１を含む。排出装置８は、本体筐体の外部へ用紙Ｐを排出する。本体筐体の外部へ排出された用紙Ｐは、排出トレイ８１に載置される。
【００２３】
制御部９は、ＣＰＵ（Ｃｅｎｔｒａｌ  Ｐｒｏｃｅｓｓｉｎｇ  Ｕｎｉｔ）のようなプロセッサーによって構成される。制御部９は、制御プログラムを実行することにより、インクジェット記録装置１の各部の動作を制御する。また、制御部９は、画像形成処理用の集積回路を備える。画像形成処理用の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。
【００２４】
記憶部１０は、データを記憶する。記憶部１０は、ストレージデバイス及び半導体メモリーによって構成される。ストレージデバイスは、例えば、ＨＤＤ（Ｈａｒｄ  Ｄｉｓｋ  Ｄｒｉｖｅ）及び／又はＳＳＤ（Ｓｏｌｉｄ  Ｓｔａｔｅ  Ｄｒｉｖｅ）によって構成される。半導体メモリーは、例えば、ＲＡＭ（Ｒａｎｄｏｍ  Ａｃｃｅｓｓ  Ｍｅｍｏｒｙ）及びＲＯＭ（Ｒｅａｄ  Ｏｎｌｙ  Ｍｅｍｏｒｙ）を構成する。記憶部１０は、制御プログラムを記憶する。
【００２５】
記憶部１０は、吐出量データを記憶する。吐出量データは、１画素あたりのインクの吐出量とクリーニングの動作で吐出するインクの吐出量とを含む。また、記憶部１０は、画像の記録で吐出されたインク量とクリーニングで吐出されたインク量とを記憶する。
【００２６】
次に、図２を参照して、インク供給装置１００を詳説する。図２は、インク供給装置１００を示す図である。図２に示すように、インク供給装置１００は、インクタンク１１０と、サブタンク１２０と、シリンジポンプ１３０と、供給ポンプ１５０と、第１配管１６１と、第２配管１６２と、第３配管１６３と、第１バルブ１６２ａと、第２バルブ１６３ａとを備える。インク供給装置１００は、制御部９の指示に従って動作する。
【００２７】
インクタンク１１０はインクを収容する。インクタンク１１０は、「第１タンク」の例に相当する。インクタンク１１０のインクは、画像の記録で吐出されるインクとクリーニングで吐出されるインクとを含む。インクタンク１１０は、インクの色種ごとに設けられている。具体的には、インクタンク１１０は、イエロー色のインクを貯留するインクタンクと、マゼンタ色のインクを貯留するインクタンクと、シアン色のインクを貯留するインクタンクと、ブラック色のインクを貯留するインクタンクとを含む。各インクタンク１１０は、同じ色種のラインヘッド７２に配管を介して連結される。
【００２８】
なお、インクタンク１１０は、インクの残量記憶装置を有してもよい。残量記憶装置は、インクタンク１１０のインクの残量を記憶する。残量記憶装置は、画像の記録で吐出されたインク量とクリーニングで吐出されたインク量とを記憶する。
【００２９】
サブタンク１２０は、インクを貯留する。サブタンク１２０は、「第２タンク」の例に相当する。サブタンク１２０は、フロート１２２と、検出部１２１とを備える。検出部１２１は、例えば、「ホールＩＣ」である。フロート１２２は、サブタンク１２０内のインクの液面の上昇と下降に合わせてサブタンク１２０内を上下する。フロート１２２は、マグネットホルダーと、マグネット１２２ａとを有する。マグネットホルダーは、マグネット１２２ａを保持する。マグネット１２２ａは、磁力を発生させる。また、サブタンク１２０は、貫通孔（不図示）を備える。貫通孔は、大気と連通する。貫通孔は、サブタンク１２０内のインクの液面より上部に設けられる。
【００３０】
検出部１２１は、サブタンク１２０内のインクの存否を検出する。検出部１２１は、サブタンク１２０の外壁に設けられる。検出部１２１は、サブタンク１２０の外壁の所定の高さに設けられる。検出部１２１は、マグネット１２２ａの磁力によって、ＯＮ状態とＯＦＦ状態とが切り替わる。ＯＮ状態とは、検出部１２１がマグネット１２２ａの磁力を検出した状態である。ＯＦＦ状態とは、検出部１２１がマグネット１２２ａの磁力を検出しない状態である。
【００３１】
検出部１２１は、マグネット１２２ａの磁力を検出した場合に、信号を制御部９に出力する。具体的には、サブタンク１２０にインクが供給され、フロート１２２のマグネット１２２ａが、検出部１２１が設けられた高さまで上昇した場合、検出部１２１は、マグネット１２２ａの磁力を検出し、信号を制御部９に出力する。この結果、検出部１２１は、インクが在ることを検出できる。
【００３２】
また、検出部１２１は、マグネット１２２ａの磁力を検出しない場合、信号を制御部９に出力しない。具体的には、サブタンク１２０のインクがシリンジポンプ１３０によって送出され、フロート１２２のマグネット１２２ａが、検出部１２１が設けられた高さよりも下降した場合、検出部１２１は、マグネット１２２ａの磁力を検出せず、信号を制御部９に出力しない。この結果、検出部１２１は、インクが無いことを検出できる。
【００３３】
シリンジポンプ１３０は、サブタンク１２０に貯留されたインクを第３配管１６３に吐出する。シリンジポンプ１３０は、シリンダーと、ピストンとを有する。
【００３４】
シリンダーは、サブタンク１２０のインクを貯留する。シリンダーは、円筒部と、蓋部と、底部とを含む。シリンダーの底部には、流入口と流出口とが形成される。
【００３５】
ピストンは、シリンダー内を移動する。ピストンは、円柱状又は円筒状に形成される。ピストンの一部は、シリンダーに挿入される。ピストンは、制御部９の指示に従って、シリンダーの底部から蓋部までを移動する。
【００３６】
ピストンが蓋部側に移動すると、第２配管１６２と流入口とを介して、インクがサブタンク１２０からシリンダーに流入する。蓋部側は、シリンダーがピストンの底部から離間する方向を示す。ピストンが底部側に移動すると、流出口と第３配管１６３とを介して、インクがシリンダーから記録部７に流出する。底部側は、シリンダーがピストンの底部に近接する方向を示す。
【００３７】
供給ポンプ１５０は、インクタンク１１０に貯留されたインクをサブタンク１２０に供給する。供給ポンプ１５０は、制御部９の指示に従って、検出部１２１がＯＮ状態となるまでインクを供給する。
【００３８】
第１配管１６１は、インクタンク１１０とサブタンク１２０とを連結する。第１配管１６１には、供給ポンプ１５０が配置される。第２配管１６２は、サブタンク１２０とシリンジポンプ１３０とを連結する。第２配管１６２には、第１バルブ１６２ａが配置される。第３配管１６３は、シリンジポンプ１３０と記録部７とを連結する。第３配管１６３には、第２バルブ１６３ａが配置される。
【００３９】
第１バルブ１６２ａは、バルブの開閉によってインクの流入と流出とを制御する。第１バルブ１６２ａは、制御部９の指示に従って開閉される。具体的には、第１バルブ１６２ａは、ピストンの底部側への移動を開始する直前に開状態から閉状態にされ、ピストンの底部側への移動が終了した直後に閉状態から開状態にされる。すなわち、ピストンが底部側に移動している期間中は、第１バルブ１６２ａは、閉状態にされ、その他の期間では、第１バルブ１６２ａは、開状態にされる。
【００４０】
第２バルブ１６３ａは、バルブの開閉によってインクの流入と流出とを制御する。第２バルブ１６３ａは、制御部９の指示に従って開閉される。具体的には、第２バルブ１６３ａは、ピストンの蓋部側への移動を開始する直前に開状態から閉状態にされ、ピストンの蓋部側への移動が終了した直後に閉状態から開状態にされる。すなわち、ピストンが蓋部側に移動している期間中は、第２バルブ１６３ａは、閉状態にされる。その他の期間では、第２バルブ１６３ａは、開状態にされる。なお、第２バルブ１６３ａが開状態の場合、第１バルブ１６２ａは閉状態にされる。第２バルブ１６３ａが閉状態の場合、第１バルブ１６２ａは開状態にされる。
【００４１】
次に、図３を参照して、本発明の実施形態に係る制御部９を説明する。図３は、インク供給装置１００の制御ブロック図である。図３に示すように、制御部９は、記録部７と、記憶部１０と、通知部２１と、検出部１２１と、シリンジポンプ１３０と、供給ポンプ１５０とにそれぞれ接続される。図３に示すように、制御部９は、第１算出部９１と、第２算出部９２とを含む。具体的には、制御部９のプロセッサーは、記憶部１０の記憶装置に記憶されたコンピュータープログラムを実行して、第１算出部９１及び第２算出部９２として機能する。
【００４２】
第１算出部９１は、サブタンク１２０のインク量を算出する。具体的には、第１算出部９１は、サブタンク１２０から送出されたインク量を算出する。サブタンク１２０から送出されたインク量は、「送出インク量」の例に相当する。また、送出インク量は、画像の記録で吐出されたインク量と、クリーニングで吐出されたインク量との合計量である。
【００４３】
第１算出部９１が、画像の記録で吐出されたインクを算出する場合、第１算出部９１は、記憶部１０が記憶する１画素あたりのインクの吐出量と、記録した画像の画素数とに基づいて、画像の記録で吐出されたインク量を算出する。また、第１算出部９１が、クリーニングで吐出されたインク量を算出する場合、第１算出部９１は、１回のクリーニングの動作で吐出されるインクの吐出量と、クリーニングの動作の回数とに基づいて、クリーニングで吐出したインク量を算出する。
【００４４】
また、第１算出部９１は、検出部１２１の検出結果に基づいて、サブタンク１２０のインク量の算出を開始する。具体的には、第１算出部９１は、サブタンク１２０にインクが在ることを検出部１２１が検出してからサブタンク１２０にインクが無いことを検出部１２１が検出するまでの送出インク量を算出する。サブタンク１２０へのインク供給によって、検出部１２１はＯＦＦ状態からＯＮ状態となる。また、サブタンク１２０からのインク送出によって、検出部１２１は、ＯＮ状態からＯＦＦ状態となる。第１算出部９１は、検出部１２１がＯＮ状態からＯＦＦ状態となるまでの期間の送出インク量をインクタンク１１０のインクが無くなるまで繰り返し算出する。
【００４５】
第２算出部９２は、インクタンク１１０のインク量を算出する。具体的には、第２算出部９２は、サブタンク１２０のインク量に基づいて、インクタンク１１０のインク量を算出する。さらに具体的には、第２算出部９２は、サブタンク１２０の送出インク量に基づいてインクタンク１１０のインク残量値を算出する。インクタンク１１０のインクはサブタンク１２０に供給されるため、インクタンク１１０のインク残量値を算出しても正確なインク残量値を得られない。このため、第２算出部９２は、サブタンク１２０のインク量からインクタンク１１０のインク残量値を算出する。サブタンク１２０のインク量からインクタンク１１０のインク残量値を算出するため、インクタンク１１０の正確なインク残量値を算出できる。
【００４６】
また、第２算出部９２は、インクタンク１１０が交換された場合、インクタンク１１０のインク量から、第１算出部９１が算出した検出部１２１がＯＮ状態からＯＦＦ状態となるまでの送出インク量を引く。具体的には、第２算出部９２は、インクタンク１１０が交換された場合、インクタンク１１０の最大容量値から、第１算出部９１が算出した送出インク量を引く。この結果、第２算出部９２は、インクタンク１１０の正確なインク残量値を算出できる。
【００４７】
インクタンク１１０を交換する際、サブタンク１２０もインクが無い状態となる場合がある。このような場合、インクタンク１１０が交換されると、インクタンク１１０からサブタンク１２０にインクが供給される。また、インクタンク１１０が交換されると、制御部９は、記憶部１０のインク残量値をインクタンク１１０の最大容量値に更新する。このため、実際はサブタンク１２０に供給されたインク量だけ、インクタンク１１０のインクが減った状態であるが、記憶部１０に記憶されたインク残量値は、インクタンク１１０の最大容量値となる。つまり、インクタンク１１０のインク残量値は正確でない。そこで、本実施形態では、インクタンク１１０が交換された場合、第２算出部９２は、インクタンク１１０の最大容量値から、第１算出部９１が算出した検出部１２１がＯＮ状態からＯＦＦ状態となるまでの送出インク量を引く。この結果、インクタンク１１０の正確なインク残量値を算出できる。
【００４８】
また、第２算出部９２は、色種ごとのインクタンク１１０のそれぞれに対してインク量を算出する。
【００４９】
なお、第２算出部９２は、画像の記録及びクリーニングの動作が実行されるたびに、インクタンク１１０のインク残量値から送出インク量を引いてもよい。この結果、第２算出部９２は、インクタンク１１０の正確なインク残量値を算出できる。
【００５０】
また、制御部９は、検出部１２１の検出結果に基づいて、サブタンク１２０内にインクが在るか否かを判定する。具体的には、検出部１２１がＯＮ状態となる場合、制御部９は、サブタンク１２０にインクが在ると判定する。検出部１２１がＯＦＦ状態となる場合、サブタンク１２０にインクが無いと判定する。この結果、制御部９は、サブタンク１２０にインクが在るか否かを判定できる。
【００５１】
また、制御部９は、検出部１２１のＯＦＦ状態が所定時間続くか否かを判定する。検出部１２１のＯＦＦ状態が所定時間続く場合、インクタンク１１０は空である。つまり、制御部９は、サブタンク１２０の検出部１２１の検出結果からインクタンク１１０のインクが無いことを判定できる。この結果、インクタンク１１０にセンサーを設けなくても、インクタンク１１０のインクが無いことを判定できる。
【００５２】
また、制御部９は、インクタンク１１０が交換されたか否かを判定する。インクタンク１１０が挿入されることで、制御部９に信号が送信され、制御部９はインクタンク１１０の交換を判定できる。
【００５３】
次に図４を参照して、制御部９が実行する処理の流れを説明する。図４は、制御部９が実行する処理を示すフローチャートである。図４に示すように、制御部９が実行する処理は、ステップＳ１からステップＳ１７を含む。
【００５４】
図４に示すように、制御部９が実行する処理がスタートすると、ステップＳ１が実行される。ステップＳ１において、検出部１２１がＯＦＦ状態となる。つまり、検出部１２１は、サブタンク１２０内にインクが無いことを検出する。処理は、ステップＳ３に進む。
【００５５】
ステップＳ３において、制御部９は、供給ポンプ１５０がサブタンク１２０にインクを供給するように制御する。具体的には、制御部９は、検出部１２１がＯＮ状態となるまでインクを供給するように供給ポンプ１５０を制御する。処理は、ステップＳ５に進む。
【００５６】
ステップＳ５において、制御部９は、記憶部１０が送出インク量を記憶するように制御する。処理は、ステップＳ７に進む。
【００５７】
ステップＳ７において、第１算出部９１は送出インク量を算出する。具体的には、第１算出部９１は、検出部１２１がＯＮ状態となってから送出インク量の算出を開始する。処理は、ステップＳ９に進む。
【００５８】
ステップＳ９において、制御部９は、検出部１２１がＯＦＦ状態となったか否かを判定する。具体的には、制御部９は、検出部１２１のＯＦＦ状態が所定時間続くか否かを判定する。検出部１２１のＯＦＦ状態が所定時間続く場合（ステップＳ９においてＹｅｓ）、処理はステップＳ１１に進む。検出部１２１のＯＦＦ状態が所定時間続かない場合（ステップＳ９においてＮｏ）、処理はステップＳ３に戻る。
【００５９】
ステップＳ１１において、制御部９は、インクタンク１１０が交換されたか否かを判定する。インクタンク１１０が交換された場合（ステップＳ１１においてＹｅｓ）、処理はステップＳ１３に進む。インクタンク１１０が交換されなかった場合（ステップＳ１１においてＮｏ）、処理はステップＳ１７に進む。
【００６０】
ステップＳ１３において、制御部９は、記憶部１０から送出インク量を取得する。処理は、ステップＳ１５に進む。
【００６１】
ステップＳ１５において、第２算出部９２は、記憶部１０から取得した送出インク量をインクタンク１１０の最大容量値から引く。処理は、ステップＳ１７に進む。
【００６２】
ステップＳ１７において、制御部９は、通知部２１がインクタンク１１０のインク残量値を通知するように通知部２１を制御する。処理は、終了する。
【００６３】
なお、ステップＳ１７において、制御部９は、記憶部１０が記憶している送出インク量をリセットしてもよい。また、制御部９は、インク供給装置１００の記憶部１０に記憶されたインク残量値を第２算出部９２が算出したインク残量値に更新する。また、インクタンク１１０が残量記憶装置を有する場合、制御部９は、記憶部１０に記憶されたインク残量値と残量記憶装置に記憶されたインク残量値とを第２算出部９２が算出したインク残量値に更新してもよい。
【００６４】
本明細書において、ステップＳ７は、「第２タンクのインク量を算出する第１算出ステップ」の例に相当する。ステップＳ１５は、「第２タンクのインク量に基づいて、第１タンク（インクタンク１１０）のインク量を算出する第２算出ステップ」の例に相当する。
【００６５】
以上、図面（図１〜図４）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００６６】
本発明は、インク供給装置、インクジェット記録装置、及びインク供給方法の分野に利用可能である。
【符号の説明】
【００６７】
１        インクジェット記録装置
７        記録部
９        制御部
１０      記憶部
２１      通知部
９１      第１算出部
９２      第２算出部
１００    インク供給装置
１１０    インクタンク
１２０    サブタンク
１２１    検出部
【図１】
2019162864.tif 000003
【図２】
2019162864.tif 000004
【図３】
2019162864.tif 000005
【図４】
2019162864.tif 000006